(57)【要約】【課題】長手方向中央部に細長い空間を形成する螺旋状の装飾本体部と一輪挿しの挟持部を空間内で開閉する一輪挿し挟持金具との簡単な構造で軽量小型の安価で高級感のある一輪挿しブローチを提供することを目的とするものである。【解決手段】本発明は長手方向中央部に細長い空間を形成する螺旋状の装飾本体部の一端部に回転自在な止めピンを設け、他端部に該ピンの先端部を挿入固定する支持部を有し、一輪挿し挟持金具を装飾本体部の一端部と他端部との間の一部に固定し一輪挿しの挟持部を空間内で開閉することができると共に挟持部の操作つまみを装飾本体部の外部に突出している。。【選択図】        図１
2004173952.tif 000002
【特許請求の範囲】
【請求項１】
長手方向中央部に細長い空間を形成する螺旋状の装飾本体部を備え、該装飾本体部の上下のいずれか一端部に回転自在な止めピンを設け、他端部に該ピンの先端部を挿入固定する支持部を有し、前記装飾本体部の前記一端部と他端部との間の一部に固定され一輪挿しの挟持部を前記空間内で開閉することができると共に挟持部の操作つまみを前記装飾本体部の外部に突出した一輪挿し挟持金具を設けたことを特徴とする一輪挿しブローチ。
【請求項２】
前記螺旋状の装飾本体部の細長い空間下部に液体保持部を設けたことを特徴とする請求項１に記載の一輪挿しブローチ。
【請求項３】
前記螺旋状の装飾本体部がほぼ円錐状であることを特徴とする請求項１または２に記載の一輪挿しブローチ。
【請求項４】
前記螺旋状の装飾本体部がほぼＳ字状であることを特徴とする請求項１または２に記載の一輪挿しブローチ。
【請求項５】
前記一輪挿しの挟持部内面に凹凸部または爪部を形成したことを特徴とする請求項１から４のいずれか１項に記載の一輪挿しブローチ。
【発明の詳細な説明】
【０００１】
【産業上の利用分野】
本発明は長手方向中央部に細長い空間を形成する螺旋状の装飾本体部を備えた一輪挿しブローチに関するものである。
【０００２】
【従来の技術】
一般にブローチは、装飾できるいろいろなものを用いて手作りのものから大量生産されるものまでいろいろある。一輪挿しブローチに近い手作りのものとしては、学校の卒業式等で用いる生花を挿す円筒状ブローチがあり、量産できるものとしては、生花を一輪挿す孔を空けた陶器ブローチ等がある。
【０００３】
しかしこれらはいずれもブローチのすばらしさと、このブローチのすばらしさを引き立たせる一輪挿しというより生花を楽しむものであり、高級感のある一輪挿しブローチにほど遠いものであった。また生花を挿すということで重量感があり、体積もかなり大きなものとなるために、軽量小型の安価で高級感のある一輪挿しブローチが待望されていた。
【０００４】
【発明が解決しようとする課題】
本発明は、長手方向中央部に細長い空間を形成する螺旋状の装飾本体部と一輪挿しの挟持部を空間内で開閉する一輪挿し挟持金具との簡単な構造で軽量小型の安価で高級感のある一輪挿しブローチを提供することを目的とするものである。
【０００５】
【課題を解決するための手段】
本発明に係る一輪挿しブローチは、長手方向中央部に細長い空間を形成する螺旋状の装飾本体部を備え、該装飾本体部の上下のいずれか一端部に回転自在な止めピンを設け、他端部に該ピンの先端部を挿入固定する支持部を有し、前記装飾本体部の前記一端部と他端部との間の一部に固定され一輪挿しの挟持部を前記空間内で開閉することができると共に挟持部の操作つまみを前記装飾本体部の外部に突出した一輪挿し挟持金具を設けたことを特徴とする。
【０００６】
【作用】
従って、本発明に係る一輪挿しブローチは、一輪挿しを挿入する空間を、長手方向中央部に細長い空間として螺旋状の装飾本体部に形成し、操作つまみを装飾本体部の外部に突出した一輪挿し挟持金具を設けたので、少ない材料で装飾効果を最大に発揮させると共に生花に限らない羽根や棒状の物で支持できるもの等の一輪挿しを挿入する空間を十分に形成することができ、且つ装飾本体部の美的効果を妨げることなく一輪挿しを効果的に保持させることができ、一輪挿しと装飾本体部との装飾効果を相乗的に発揮することができる。
【０００７】
【発明の実施の形態】
以下に本発明の実施の形態を図面に基づいて説明する。
図１から図３は本発明に係る一輪挿しブローチの側面図、正面図、背面図を示し、上下方向の長手方向に細長い螺旋状の複数本の帯状部材を逆円錐形の空間に形成した装飾本体部１を備え、一本一本の螺旋の帯状部材外面に宝石を一列に並べて埋め込み固着している。装飾本体部１はその螺旋状の各帯状部材上端をリング２で固定すると共に下端に液体保持部３を有する。また、装飾本体部１の上部に回転自在な止めピン４を設け、下部の液体保持部３の上部にピン４の先端を挿入固定する支持部５を固着している。
一輪挿し挟持金具６は、図４の上面図からも判るように、一輪挿しを挟み固定する一輪挿しの挟持部を装飾本体部１の空間内で開閉できるように組みこまれており、更に図５で一輪挿し挟持金具６が閉じた状態と開いた状態を示す。
【０００８】
図６から図８は他の実施例である本発明に係る一輪挿しブローチの側面図、正面図、背面図を示し、上下方向の長手方向に空間を形成したほぼＳ字形状の螺旋状装飾本体部１０を備え、一本の螺旋の帯状部材外面に宝石を二列に並べて埋め込み固着している。装飾本体部１０の下部に回転自在な止めピン１４を設け、上部にピン１４の先端を挿入固定する支持部１５を固着している。
一輪挿し挟持金具１６はその開閉状態を図９に示し、同様に一輪挿し挟持金具１６の他の実施例を図１０に示す。
【０００９】
【発明の効果】
以上の説明から明らかな通り、本発明の構成によれば、一輪挿しを挿入する空間を、螺旋状の装飾本体部に長手方向中央部の細長い空間として形成すると共に操作つまみを装飾本体部の外部に突出した一輪挿し挟持金具を設けたので、少ない材料で装飾効果を発揮させて一輪挿しを挿入する空間を十分に形成することができ、装飾本体部の美的効果を妨げることなく一輪挿しを効果的に保持させることができ、一輪挿しと装飾本体部との装飾効果を相乗的に発揮することができる軽量小型な一輪挿しブローチを提供することができる。
【図面の簡単な説明】
【図１】本発明に係る一輪挿しブローチの側面図である。
【図２】本発明に係る一輪挿しブローチの正面図である。
【図３】本発明に係る一輪挿しブローチの背面図である。
【図４】本発明に係る一輪挿しブローチの上面図である。
【図５】本発明に係る一輪挿しブローチの一輪挿し挟持金具の設置および一輪挿し挟持金具の開閉状態を示す斜視図である。
【図６】本発明に係る一輪挿しブローチの他の実施例を示す正面図である。
【図７】本発明に係る一輪挿しブローチの他の実施例を示す側面図である。
【図８】本発明に係る一輪挿しブローチの他の実施例を示す背面図である。
【図９】本発明に係る一輪挿し挟持金具を示し図８のＡ−Ａ’断面から見た図である。
【図１０】本発明に係る一輪挿し挟持金具の設置および一輪挿し挟持金具の開閉状態を示す斜視図である。
【符号の説明】
１  装飾本体部
２  リング
３  液体保持部
４  止めピン
５  支持部
６  一輪挿し挟持金具
１０  螺旋状装飾本体部
１４  止めピン
１５  支持部
１６  一輪挿し挟持金具
【図１】
2004173952.tif 000003
【図２】
2004173952.tif 000004
【図３】
2004173952.tif 000005
【図４】
2004173952.tif 000006
【図５】
2004173952.tif 000007
【図６】
2004173952.tif 000008
【図７】
2004173952.tif 000009
【図８】
2004173952.tif 000010
【図９】
2004173952.tif 000011
【図１０】
2004173952.tif 000012